(57)【要約】【課題】自然揮散用の薬剤揮散器具と強制揮散用の薬剤揮散器具を簡単に組み合わせて使用できると共に、離れた場所にそれぞれ設置して使用できる薬剤揮散装置とする。【解決手段】薬剤容器体１０に収容した薬剤１１を自然揮散して揮散口１２から薬剤を大気に放散する自然揮散用の第１薬剤揮散器具１と、器具本体２０に送風機２１と薬剤２２とを設け、その送風機２１を駆動することで強制揮散して薬剤を大気に放散する第２薬剤揮散器具２を備え、前記薬剤容器体１０の揮散口１２以外の部分に器具本体取付部１３を設け、この器具本体取付部１３に器具本体２０を着脱自在に取付けした薬剤揮散装置とする。【選択図】図２
2008035929.tif 000002
【特許請求の範囲】
【請求項１】
揮散口１２を有した薬剤容器体１０内に薬剤１１が収容され、自然揮散した薬剤が揮散口１２から大気に放散する自然揮散用の第１薬剤揮散器具１と、
器具本体２０に送風機２１と薬剤２２を設け、その送風機２１を駆動することで空気流れを薬剤２２に作用させて強制揮散し、薬剤を大気に放散する強制揮散用の第２薬剤揮散器具２を備え、
前記薬剤容器体１０の揮散口１２以外の部分に器具本体取付部１３を有し、
この器具本体取付部１３に、前記第２薬剤揮散器具２の器具本体２０を、その器具本体２０で前記揮散口１２を閉塞しないように着脱自在に取付けたことを特徴とする薬剤揮散装置。
【請求項２】
第１薬剤揮散器具１の薬剤容器体１０を、容器本体１４に蓋体１５を着脱自在に取付けたものとし、その容器本体１４に薬剤１１を収容すると共に、蓋体１５に揮散口１２と器具本体取付部１３を設け、
第２薬剤揮散器具２の器具本体２０は、薬剤収容部２３と、その薬剤収容部２３に開口連通した空気入口２４と空気出口２５を有し、
第２薬剤揮散器具２の送風機２１は、ハウジング２１ａにモータ２１ｂとファン２１ｃを設け、そのハウジング２１ａに前記空気出口２５と連通した吸込口２６と吐出口２７を有する請求項１記載の薬剤揮散装置。
【請求項３】
第２薬剤揮散器具２の器具本体２０は、その底面２０ｃに空気入口２４を有し、上面２０ｂに空気出口２５を有し、送風機２１を駆動することで、その薬剤収容部２３に収容した薬剤２２の下面から上面まで空気が流通するようにした請求項１記載の薬剤揮散装置。
【請求項４】
第１薬剤揮散器具１の薬剤容器体１０は、その周面の一部と上面、下面に開口した凹部４０を有し、
第２薬剤揮散器具２の器具本体２０は、前記凹部４０に嵌め合う形状で、その凹部４０を器具本体取付部１３とし、
前記薬剤容器体１０の上面が、器具本体２０の上面よりも高く、その薬剤容器体１０の上面に揮散口１２が形成され、前記器具本体２０の上面に空気入口２４が形成され、
送風機２１が器具本体２０の上面に、その吐出口２７が空気入口２４と反対側に向かうように取付けた請求項１記載の薬剤揮散装置。
【発明の詳細な説明】
【技術分野】
【０００１】
本発明は、芳香剤、消臭剤、芳香消臭剤、除菌剤、殺虫剤、害虫忌避剤などの揮散性の薬剤を揮散させる薬剤揮散装置に関するものである。
【背景技術】
【０００２】
従来、芳香剤などの揮散性の薬剤を揮散させる薬剤揮散器具には、器具内に薬剤を含むゲル製剤などを収容し、薬剤を開放部分から揮散させる、などの自然に揮散させる自然揮散方式の薬剤揮散器具がある（特許文献１参照）。
また、ファンを備えた器具内に薬剤を含む通気性の薬剤保持体などを配置し、ファンによる発生気流で薬剤を拡散させる、などの強制的に揮散させる強制揮散方式の薬剤揮散器具がある（特許文献２参照）。
【０００３】
【特許文献１】実公昭５５−５１４７１号公報
【特許文献２】特開平１１−１８７７９９号公報
【発明の開示】
【発明が解決しようとする課題】
【０００４】
前述した自然揮散方式の薬剤揮散器具は、薬剤を自然揮散するので、薬剤効果の持続性が優れたものである。
前述した強制揮散方式の薬剤揮散器具は、薬剤を強制揮散するので、薬剤効果の拡散性、速効性が優れたものである。
このようであるから、前述した自然揮散方式の薬剤揮散器具と、強制揮散方式の薬剤揮散器具を組み合わせることで、薬剤効果の持続性、拡散性、速効性がそれぞれ優れたものとすることが可能と考えられる。
【０００５】
しかしながら、前述した自然揮散方式の薬剤揮散器具、強制揮散方式の薬剤揮散器具は、それぞれ単独で使用することを前提として作製したものであり、その２つの薬剤揮散器具を組み合わせて使用することは考慮されていないので、前述した自然揮散方式の薬剤揮散器具と強制揮散方式の薬剤揮散器具を組み合わせることは事実上無理である。
また、前述の２つの薬剤揮散器具を一体化して自然揮散と強制揮散を実施できるものとすることが考えられるが、ただ単に２つの薬剤揮散器具を一体化したのでは、全体が大きくなり、実用的ではない。
しかも、２つの薬剤揮散器具を一体化したのでは、薬剤を１ヶ所から揮散することになり、薬剤を離れた複数ヶ所から揮散することができない。
【０００６】
本発明の目的は、自然揮散式の薬剤揮散器具と強制揮散式の薬剤揮散器具を簡単に組み合わせて使用できると共に、それぞれの薬剤揮散器具を離れた場所に設置して複数ヶ所から薬剤を揮散できるようにした薬剤揮散装置を提供することである。
【課題を解決するための手段】
【０００７】
第１の発明は、揮散口１２を有した薬剤容器体１０内に薬剤１１が収容され、自然揮散した薬剤が揮散口１２から大気に放散する自然揮散用の第１薬剤揮散器具１と、
器具本体２０に送風機２１と薬剤２２を設け、その送風機２１を駆動することで空気流れを薬剤２２に作用させて強制揮散し、薬剤を大気に放散する強制揮散用の第２薬剤揮散器具２を備え、
前記薬剤容器体１０の揮散口１２以外の部分に器具本体取付部１３を有し、
この器具本体取付部１３に、前記第２薬剤揮散器具２の器具本体２０を、その器具本体２０で前記揮散口１２を閉塞しないように着脱自在に取付けたことを特徴とする薬剤揮散装置である。
【０００８】
第２の発明は、第１の発明において、第１薬剤揮散器具１の薬剤容器体１０を、容器本体１４に蓋体１５を着脱自在に取付けたものとし、その容器本体１４に薬剤１１を収容すると共に、蓋体１５に揮散口１２と器具本体取付部１３を設け、
第２薬剤揮散器具２の器具本体２０は、薬剤収容部２３と、その薬剤収容部２３に開口連通した空気入口２４と空気出口２５を有し、
第２薬剤揮散器具２の送風機２１は、ハウジング２１ａにモータ２１ｂとファン２１ｃを設け、そのハウジング２１ａに前記空気出口２５と連通した吸込口２６と吐出口２７を
有する薬剤揮散装置である。
【０００９】
第３の発明は、第１の発明において、第２薬剤揮散器具２の器具本体２０は、その底面２０ｃに空気入口２４を有し、上面２０ｂに空気出口２５を有し、送風機２１を駆動することで、その薬剤収容部２３に収容した薬剤２２の下面から上面まで空気が流通するようにした薬剤揮散装置である。
【００１０】
第４の発明は、第１の発明において、第１薬剤揮散器具１の薬剤容器体１０は、その周面の一部と上面、下面に開口した凹部４０を有し、
第２薬剤揮散器具２の器具本体２０は、前記凹部４０に嵌め合う形状で、その凹部４０を器具本体取付部１３とし、
前記薬剤容器体１０の上面が、器具本体２０の上面よりも高く、その薬剤容器体１０の上面に揮散口１２が形成され、前記器具本体２０の上面に空気入口２４が形成され、
送風機２１が器具本体２０の上面に、その吐出口２７が空気入口２４と反対側に向かうように取付けた薬剤揮散装置である。
【発明の効果】
【００１１】
請求項１に係る発明によれば、第１薬剤揮散器具１の器具本体取付部１３に、第２薬剤揮散器具２の器具本体２０を取付けることで、第１薬剤揮散器具１の揮散口１２から自然揮散した薬剤を大気に放散できると共に、第２薬剤揮散器具２の送風機２１を駆動することで、その薬剤２２を強制揮散して薬剤を大気に放散できる。
したがって、自然揮散式の第１薬剤揮散器具１と強制揮散式の第２薬剤揮散器具２を簡単に組み合わせて使用できる。
また、第１薬剤揮散器具１と第２薬剤揮散器具２を分離して離れた場所にそれぞれ設置して複数ヶ所から薬剤を揮散できる。
【００１２】
請求項２に係る発明によれば、蓋体１５を取り外すことで容器本体１４内の薬剤１１を交換したり、補給したりできる。
また、送風機２１を駆動することで、空気入口２４、薬剤２２、空気出口２５、吸込口２６、吐出口２７と空気が流通し、その薬剤２２を強制揮散して薬剤をスムーズに大気に放散できる。
【００１３】
請求項３に係る発明によれば、薬剤２２の下面から上面まで空気が流通するので、その薬剤２２を強制揮散して薬剤を効率良く大気に放散できる。
【００１４】
請求項４に係る発明によれば、揮散口１２と空気入口２４が上下に位置がずれていることから、揮散口１２から自然揮散した薬剤が空気入口２４から器具本体２０の薬剤収容部２３に入り込むことがなく、自然揮散した薬剤をスムーズに大気に放散できる。
また、送風機２１の吐出口２７は空気入口２４と反対側に向かうようにしてあるので、吐出口２７から吐出した空気が再び空気入口２４から入り込むことがなく、強制揮散した薬剤を大気にスムーズに放散できる。
【発明を実施するための最良の形態】
【００１５】
図１と図２に示すように、自然揮散用の第１薬剤揮散器具１と強制揮散用の第２薬剤揮散器具２を分離自在に組み合わせて薬剤揮散装置としてある。
前記第１薬剤揮散器具１は、薬剤容器体１０内に薬剤１１を収容してある。その薬剤容器体１０は揮散口１２を有し、その揮散口１２から自然揮散した薬剤を大気に放散する。
前記第２薬剤揮散器具２は、器具本体２０に送風機２１と薬剤２２を設け、その送風機２１を駆動することで吐出空気又は吸い込み空気（空気流れ）を薬剤２２に作用して強制揮散することで薬剤を大気に放散する。
前記薬剤容器体１０の揮散口１２以外の部分に器具本体取付部１３が設けてある。この器具本体取付部１３に前記器具本体２０が着脱自在に取付けてある。
前述の説明において、薬剤１１、薬剤２２は揮散性の薬剤を含有する製剤で、ただ単に薬剤としたのは揮散性の薬剤のことである。
【００１６】
このようであるから、薬剤容器体１０の器具本体取付部１３に器具本体２０を取付けることで、第１薬剤揮散器具１と第２薬剤揮散器具２を簡単に組み合わせできる。その薬剤容器体１０内の薬剤１１は自然揮散して揮散口１２から矢印ａのように薬剤が大気に放散する。
前記揮散口１２と器具本体取付部１３は位置がずれ、器具本体２０で揮散口１２が閉塞されていることがなく、その揮散口１２から放散された薬剤は、第２薬剤揮散器具２と干渉することがなく、スムーズに大気に放散する。
前述の状態で送風機２１を駆動することで、薬剤２２に空気の流れが作用して強制揮散し、薬剤が大気に放散される。
【００１７】
また、薬剤容器体１０の器具本体取付部１３から器具本体２０を取り外すことで、図３に示すように第１薬剤揮散器具１と第２薬剤揮散器具２を離れた場所にそれぞれ設置して、第１薬剤揮散器具１で自然揮散、第２薬剤揮散器具２で強制揮散を実施することができる。
【００１８】
このようであるから、薬剤の自然揮散と強制揮散を同時にそれぞれ実施でき、薬剤効果の持続性（薬剤の効力が長時間持続する）、拡散性（薬剤分布のスピード化、薬剤分布状態の安定化）、速効性（効力の発現が速い）をそれぞれ優れたものにできる。
また、第１薬剤揮散器具１と第２薬剤揮散器具２を図１、図２に示すように組み合わせることで、前述の自然揮散と強制揮散を１ヶ所で集中的に実施できる。
また、第１薬剤揮散器具１と第２薬剤揮散器具２を図３に示すように分離して離れた場所に設置することで、前述の自然揮散と強制揮散を離れた場所でそれぞれ独立して実施できるから、複数ヶ所から薬剤を揮散できる。
【００１９】
次に、前述した薬剤揮散装置の各部材の具体形状を説明する。
前記薬剤容器体１０は容器本体１４に蓋体１５を着脱自在に取付けたもので、その容器本体１４に薬剤１１が収容され、蓋体１５に揮散口１２と器具本体取付部１３が形成してある。
【００２０】
前記容器本体１４は底面板１４ａと周面板１４ｂで上面が開口した箱形状である。
前記蓋体１５は横板１５ａとフランジ１５ｂを備え、その横板１５ａに揮散口１２が形成されていると共に、環状の突起が設けられて器具本体取付部１３としてある。
前記横板１５ａの器具本体取付部１３の内側には補助揮散口１６が形成してある。
【００２１】
前記器具本体２０は周面板２０ａと上面板２０ｂと下面板２０ｃで薬剤収容部２３を有する箱形状で、その下面板２０ｃは着脱自在で薬剤２２を交換、補充等できるようにしてある。前記周面板２０ａに網目形状などの空気入口２４が形成され、上面板２０ｂに空気出口２５が形成してある。
前記送風機２１はハウジング２１ａにモータ２１ｂとファン２１ｃを設け、そのハウジング２１ａに吸込口２６と吐出口２７が形成してある。このハウジング２１ａは電池収納室２１ｄを有し、図示しない電池が収納してある。
この実施の形態では上面板２０ｂにハウジング２１ａが一体的に設けてあり、空気出口２５と吸込口２６が共通である。
【００２２】
前述のようであるから、図１、図２に示すように、第１薬剤揮散器具１と第２薬剤揮散器具２を組み合わせた時には、蓋体１５の補助揮散口１６が第２薬剤揮散器具２の器具本体２０で閉塞され、自然揮散した薬剤は揮散口１２からのみ大気に放散される。
また、図３に示すように第１・第２薬剤揮散器具１，２を分離して離れて設置して使用する場合には、補助揮散口１６が開放するので、より多く自然揮散する。
【００２３】
また、送風機２１を駆動することで、矢印ｂのように空気入口２４から空気が流通し、薬剤２２を通して吸込口２６（空気出口２５）から送風機２１内に吸い込まれ、矢印ｃのように吐出口２７から大気に放出されるので、薬剤２２を強制揮散して薬剤が効率良く大気に放散される。
【００２４】
次に、本発明の第２の実施の形態を説明する。
図４と図５に示すように、第１薬剤揮散器具１の薬剤容器体１０の上面（蓋体１５の横板１５ａ）に環状の凹陥部１７を形成し、その凹陥部１７に第２薬剤揮散器具２を嵌め込んで取付け、器具本体２０の底面板２０ｃを凹陥部１７の底面１７ａに接する。つまり、凹陥部１７を器具本体取付部１３とする。
前記凹陥部１７の形状と器具本体２０の形状を異ならせて両者の間に隙間１８を形成し、その隙間１８を通して空気が流通するようにする。
例えば、凹陥部１７を矩形状、器具本体２０を円形状として隙間１８を形成し、この隙間１８を通して空気入口２４に空気が流れ、吐出口２７から吐出した空気が隙間１８を通って大気に放出するようにする。
【００２５】
前述のようにした場合には、凹陥部１７の４つのコーナー部と器具本体２０との間に４つの隙間１８が形成されるので、２つの隙間１８を通して空気入口２４に空気が流れ、残りの２つの隙間１８を通って吐出口２７から吐出した空気が大気に放出するようにすることが好ましい。
【００２６】
前述の凹陥部１７は環状に限ることはなく、一直線形状で、長手方向両端部が蓋体１５の外周面にそれぞれ開口したもの、十文字形状で、４つの端部が蓋体１５の外周面にそれぞれ開口したもの、一端部のみが蓋体１５の外周面に開口したもの等でも良い。
例えば、図６に示すように、蓋体１５に、４つの溝１７ｂを有する十文字形状の凹陥部１７を形成し、その４つの溝１７ｂの交差部をほぼ円形状として器具本体取付部１３とする。
第２薬剤揮散器具２の器具本体２０を器具本体取付部１３に嵌め込むようにして取付ける。
そして、空気入口２４を２つの溝１７ｂに向け、残りの２つの溝１７に吐出口２７を向ける。
【００２７】
前述の図１、図２及び図６に示す第２薬剤揮散器具２は、その器具本体２０が送風機２１よりも大きく、図４、図５に示す第２薬剤揮散器具２は、その器具本体２０と送風機２１が同一大きさであるが、これらに限ることはなく、器具本体２０の大きさと送風機２１の大きさは同一でも良いし、一方が大きく、他方が小さくとも良い。
【００２８】
前述の各実施の形態では、第２薬剤揮散器具２の器具本体２０の周面板２０ａに空気入口２４を形成したが、これに限ることはなく、上面板２０ｂ又は底面板２０ｃに空気入口２４を形成しても良い。
例えば、図７、図８に示すように容器本体１４を底面板１４ａと周面板１４ｂと内周板１４ｃで、中央部に縦孔部１４ｄを有すると共に、リング状の上向き凹部１４ｅを有する形状とする。前記器具本体２０の底面板２０ｃに空気入口２４を形成する。
前記蓋体１５の横板１５ａに、前記縦孔部１４ｄに嵌合する凹部３０を形成し、この凹部３０に第２薬剤揮散器具２（器具本体２０）を嵌合して取付け、その凹部３０を前述の器具本体取付部１３とする。
この凹部３０の底面３０ａに孔３１を形成し、この孔３１と前記空気入口２４を連通する。
【００２９】
このようにすることで、送風機２１を駆動することによって、図８に矢印ｄに示すように孔３１、空気入口２４を通って空気が薬剤２２の下面に流れる。
この空気は薬剤２２の下面から上面に向けて流通し、空気出口２５（吸込口２６）から吸い込みされ、吐出口２７から大気に放出する。
よって、薬剤２２のほぼ全域に亘って空気が流通するので、強制揮散により薬剤が効率良く大気に放散される。
【００３０】
前述の各実施の形態では、第１薬剤揮散器具１の薬剤容器体１０の中央部に器具本体取付部１３を形成し、第２薬剤揮散器具２の器具本体２０を嵌合、嵌め込み等で取付けしたが、これに限ることはなく、薬剤容器体１０の一側寄りに器具本体取付部１３を形成しても良い。
例えば、図９と図１０に示すように、薬剤容器体１０に外周面の一部に開口した切欠部４０を上下面に連続して形成し、その切欠部４０を器具本体取付部１３とする。
器具本体２０を、前記切欠部４０に嵌合する形状とする。
【００３１】
具体的には、薬剤容器体１０の容器本体１４を、円板の一部をＣ字形状で切欠いた底面板１４ａと、円弧形状の周面板１４ｂと、底面板１４ａの切欠いた部分に沿って設けたＣ字形状の内周板１４ｆで囲まれた形状とする。
蓋体１５を前記容器本体１４の周面板１４ｂと内周板１４ｆに嵌合する形状とする。
器具本体２０の周面板２０ａを前記容器本体１４の内周板１４ｆに嵌まり合う形状とし、上面板２０ｂに空気入口２４と空気出口２５を離れた位置に形成すると共に、その空気出口２５の周縁に送風機取付部２８を形成する。
送風機２１のハウジング２１ａを送風機取付部２８に嵌め合わせて取付け、その吸込口２６と空気出口２５を連通すると共に、吐出口２７を空気入口２４と反対側に位置させる。
【００３２】
このようにすることで、送風機２１を駆動することによって、空気入口２４から空気が器具本体２０内に流入して薬剤２２に作用し、空気出口２５から吸込口２６に吸い込まれ、吐出口２７から薬剤が大気に放散される。
また、空気入口２４に流れる空気と吐出口２７から吐出される空気が混合することがなく、薬剤２２を強制揮散して薬剤を大気にスムーズに放散できる。
【００３３】
また、器具本体２０の上面２０ａが薬剤容器体１０の上面よりも低く、空気入口２４と揮散口１２が離隔するので、揮散口１２から自然揮散した薬剤が空気入口１２から器具本体２０内に流入することがなく、スムーズに自然揮散できる。
なお、図示は省略するが前述の器具本体２０の上面２０ａを薬剤容器体１０の上面と同一高さとしても良いし、高くしても良い。
【００３４】
前述の各実施の形態で説明した第２薬剤揮散器具２を、それを上下反転（裏返）して第１薬剤揮散器具１の器具本体取付部１３に取付けるようにしても良い。
図示は省略するが、例えば前述の図４及び図５に示す薬剤揮散装置において、その第２薬剤揮散器具２の器具本体２０の底面板２０ｃに図８に示すように空気入口２４を形成し、その第２薬剤揮散器具２を裏返して、その底面板２０ｃが上になるようにして、第１薬剤揮散器具１の薬剤容器体１０の上面に形成した凹陥部１７（器具本体取付部１３）に嵌め込んで取付けると、器具本体２０の送風機２１（ハウジング２１ａの電池収納室２１ｄ）が凹陥部１７の底面１７ａに接し、器具本体２０の底面板２０ｃ（空気入口２４）が大気に直面する。
このようにすることで、送風機２１を駆動することによって、空気が前記器具本体２０の底面板２０ｃに形成した空気入口２４から入り、吐出口２７から吐出した空気が凹陥部１７と器具本体２０との両者の間に形成された隙間１８を通して大気に放出される。
【００３５】
前述の各実施の形態において、薬剤の自然揮散（薬剤１１）と強制揮散（薬剤２２）を同時にそれぞれ実施でき、強制揮散により薬剤を空間の隅々まで拡散、スピーディな拡散による速効性、自然揮散により空間の薬剤分布の安定化を維持することで、薬剤効果の持続性、拡散性、速効性をそれぞれ優れたものにできる。
また、広い広域空間や天井が高い高所空間において、自然揮散で近方範囲や低所範囲、強制揮散で遠方範囲や高所範囲と空間全域の薬剤分布の安定化を図り、薬剤効果の持続性、拡散性、速効性を優れたものにできる。
また、出入口が開放されて空気の流れがある準閉鎖空間において、薬剤の空間外への流出による薬剤分布の低下を強制揮散により補い、薬剤効果の持続性、拡散性、速効性を優れたものにできる。
【００３６】
前記薬剤１１，１２については、それに使用する揮散性の薬剤は、同一の薬剤であっても良いし、異なる薬剤であっても良い。
前記の異なる薬剤を使用する実施場面として、害虫駆除では、例えば落下仰転効果の高い薬剤と致死効果の高い薬剤、又は害虫の侵入を防止する忌避剤と侵入害虫を殺虫する殺虫剤、又は種類の違う棲息害虫に効力のあるそれぞれの殺虫剤などが例示できる。
消臭、芳香消臭では、例えば違う悪臭に効力のあるそれぞれの消臭剤や芳香消臭剤、又は臭いを消臭し、良い香りを漂わせる消臭剤と芳香剤などが例示できる。
また、前記殺虫剤と消臭剤の使用による害虫駆除と消臭、除菌剤と消臭剤の使用による空間環境の清浄化などが例示できる。
【００３７】
また、薬剤１１（第１薬剤揮散器具）と薬剤２２（第２薬剤揮散器具）を分離して使用する場合、使用空間内で離れた場所にそれぞれを設置して使用、例えば第１薬剤揮散器具を居住空間のほぼ中央に設置、第２薬剤揮散器具を出入口や高所に設置するなどが例示できる。また、複数の使用空間にそれぞれの薬剤揮散器具を設置して使用、例えば居住空間とそれと隣接する廊下や出入口などが例示できる。
または、使用途中、例えば一定時間使用した後、一方の薬剤揮散器具を別の場所で使用する、また一定時間使用した後、一方の薬剤揮散器具の使用を中断し、しばらくした後再び使用するなどが例示できる。
【００３８】
本発明に用いる揮散性の薬剤としては、従来から害虫駆除剤（殺虫剤、害虫忌避剤、害虫成長阻害剤など）、芳香・消臭剤（香料、ハーブ、消臭剤など）、防菌・防黴剤（殺菌剤、除菌剤、防カビ剤など）等の目的で使用されている自然下で揮散する各種の薬剤を、目的に応じて単独で、または２種以上組合わせて使用できる。
【００３９】
本発明に用いる製剤は、形状として、多量の揮散性の薬剤を含有し、取扱いが簡便であればよく、例えばゲル状、ジェル状、粒状、粉状、マット状、綿状、繊維状、ハニカム構造状、又は液状などが例示される。
その材料としては、自然下で含有された揮散性薬剤を放出するものであればよく、例えば多孔質無機物質および有機物質、パルプ材、ゲル化材、合成樹脂などが例示される。
送風機のファンとしては、シロッコファンが好ましいが、軸流ファン、プロペラファンを用いることもできる。
【図面の簡単な説明】
【００４０】
【図１】本発明の第１の実施の形態を示す薬剤揮散装置の平面図である。
【図２】図１のＡ−Ａ断面図である。
【図３】２つの薬剤揮散器具を分離した状態の断面図である。
【図４】本発明の第２の実施の形態を示す薬剤揮散装置の平面図である。
【図５】図４のＢ−Ｂ断面図である。
【図６】本発明の第３の実施の形態を示す薬剤揮散装置の平面図である。
【図７】本発明の第４の実施の形態を示す薬剤揮散装置の平面図である。
【図８】図７のＣ−Ｃ断面図である。
【図９】本発明の第５の実施の形態を示す薬剤揮散装置の断面図である
【図１０】図９のＤ−Ｄ断面図である。
【符号の説明】
【００４１】
１…第１薬剤揮散器具、２…第２薬剤揮散器具、１０…薬剤容器体、１１…薬剤、１２…揮散口、１３…器具本体取付部、１４…容器本体、１５…蓋体、２０…器具本体、２０ａ…周面、２０ｂ…上面、２０ｃ…下面、２１…送風機、２１ａ…ハウジング、２１ｂ…モータ、２１ｃ…ファン、２２…薬剤、２３…薬剤収容部、２４…空気入口、２５…空気出口、２６…吸込口、２７…吐出口、４０…凹部。
【図１】
2008035929.tif 000003
【図２】
2008035929.tif 000004
【図３】
2008035929.tif 000005
【図４】
2008035929.tif 000006
【図５】
2008035929.tif 000007
【図６】
2008035929.tif 000008
【図７】
2008035929.tif 000009
【図８】
2008035929.tif 000010
【図９】
2008035929.tif 000011
【図１０】
2008035929.tif 000012